(57)【特許請求の範囲】
【請求項１】
シリンダケース内に回転操作可能に挿入され、所定の回転位置において解錠コードの変更が可能なプラグと、
シリンダケース内に嵌合されてプラグの終端に空転可能に外嵌合され、施錠対象装置への作用部が連結されるジョイントと、
プラグ内に飛び出し方向に付勢されて収容され、プラグからの飛び出し位置においてジョイントとの回転境界を閉塞する連結子と、
シリンダケースに保持され、ジョイントとシリンダケースとの回転境界面開放位置から、前記連結子をプラグ内に押し込んでプラグとジョイントとの回転境界を開放するとともにジョイントをシリンダケースに拘束する連結子押し込み位置までシリンダケース外から操作可能な連結解除子とを有し、
前記プラグとジョイントには、前記連結解除子の連結子押し込み位置への移動を許容する挿通孔が開設されるとともに、
前記プラグには、周壁に肉残り部を形成して前記挿通孔を周方向に延設し、連結解除子に突設されたストッパ突起が係止可能な挿通溝が形成されるコード可変シリンダ錠。
【請求項２】
前記連結解除子は、一端部にシリンダケース外部に露出して外部からの操作を可能にする操作片を有する請求項１記載のコード可変シリンダ錠。
【請求項３】
前記連結解除子は、中間部の両端に操作片とストッパ突起とを背向方向に突設させて形成されるとともに、
前記シリンダケースには施錠対象装置の取付部に固定される取付フランジが形成され、
前記連結解除子は、中間部を前記取付フランジの後端面に沿わせるとともに、操作片を取付フランジの後方に突出させて配置される請求項２記載のコード可変シリンダ錠。
【発明の詳細な説明】
【技術分野】
【０００１】
本発明は、コード可変シリンダ錠に関するものである。
【背景技術】
【０００２】
分解することなく解錠コードを変更することのできるコード可変シリンダ錠としては、特許文献１に記載のものが知られている。この従来例において、シリンダ錠は、外周シリンダ（シリンダケース）内に内周シリンダ（プラグ）を回転自在に挿入して形成される。プラグの終端にはリセットボタンへの操作により連結解除可能なジョイントカム（ジョイント）が連結され、施錠対象装置への施解錠操作は、プラグを回転操作することによりジョイントを回転させて行われる。
【０００３】
上記プラグには噛合位置可変なタンブラ対の複数が装着され、タンブラ対の噛合位置を変更することにより解錠コードの変更がなされる。噛合位置の変更は、所定の角度までプラグを回転操作して行われ、施錠対象装置に対する相対位置を変化させることなく、あるいは、ジョイントにより規制される操作角を超えてプラグを回転させるために、コード変更操作に先立ってプラグのジョイントに対する連結が解除され、プラグのジョイントに対する空転が確保される。
【０００４】
解錠コードを変更しない通常の運用モードにおいてプラグとジョイント４を回転方向に連結し、解錠コード変更モードにおいてプラグとジョイントとの連結を解除するために、プラグにはスプリングによりジョイント側に付勢されてプラグとジョイントとを連結するジョイントブロックが、シリンダケースにはリセットボタンとジョイントブロックとの間に介装されるリセットピンが配置される。
【０００５】
プラグとジョイントとが連結された状態、すなわち、ジョイントブロックがジョイント側に突出した状態でリセットピンとジョイントブロックとの境界はジョイントとシリンダケースとの回転境界に位置してジョイントのシリンダケースに対する空転が確保される。この状態からリセットボタンを押下すると、リセットピンを介してジョイントブロックが押し下げられてプラグのジョイントに対する連結が解除され、同時に、リセットピンとジョイントブロックとの境界はジョイント内に移動してリセットピンによりジョイントとシリンダケースとの回転境界が閉塞され、ジョイントのシリンダケースに対する回転が規制される。
【０００６】
この状態からプラグを回転させると、上述したように解錠コード変更が行われ、このとき、ジョイントは回転しないために、施錠対象装置に対する相対位置が変化することがない。
【特許文献１】特開２００５-１６３３２６号公報
【発明の開示】
【発明が解決しようとする課題】
【０００７】
しかし、上述した従来例において、解錠コード変更のためにプラグを回転した状態で、リセットピンの移動は規制されないために、解錠コード変更操作中にリセットピンがジョイントブロックから離れて移動する可能性がある。リセットピンがジョイントとシリンダケースとの回転境界を開放する位置まで移動すると、ジョイントはシリンダケースに対して空転可能になる。
【０００８】
ジョイントとプラグは相互に接触しているために、ジョイントブロックによる連結が解除されていても、解錠コード変更操作に伴うプラグの回転に追随して回転することが可能であり、ジョイントの追随回転により施錠対象装置との相対位置が変化する。この結果、解錠コード変更操作が終了した時点でプラグの回転位置と施錠対象装置の相対位置が変わってしまい、以後の施解錠操作のタイミングが変化してしまう等の問題が発生し、動作信頼性が低いという欠点がある。
【０００９】
本発明は、以上の欠点を解消すべくなされたものであって、解錠コード変更操作に伴うジョイントの空転を確実に防止し、動作信頼性を向上させたコード可変シリンダ錠の提供を目的とする。
【課題を解決するための手段】
【００１０】
本発明によれば上記目的は、
シリンダケース１内に回転操作可能に挿入され、所定の回転位置において解錠コードの変更が可能なプラグ２と、
シリンダケース１内に嵌合されてプラグ２の終端に空転可能に外嵌合され、施錠対象装置への作用部３が連結されるジョイント４と、
プラグ２内に飛び出し方向に付勢されて収容され、プラグ２からの飛び出し位置においてジョイント４との回転境界を閉塞する連結子５と、
シリンダケース１に保持され、ジョイント４とシリンダケース１との回転境界面開放位置から、上前記連結子５をプラグ２内に押し込んでプラグ２とジョイント４との回転境界を開放するとともにジョイント４をシリンダケース１に拘束する連結子押し込み位置までシリンダケース１外から操作可能な連結解除子６とを有し、
前記プラグ２とジョイント４には、前記連結解除子６の連結子押し込み位置への移動を許容する挿通孔２ａ、４ａが開設されるとともに、
前記プラグ２には、周壁に肉残り部を形成して前記挿通孔２ａ、４ａを周方向に延設し、連結解除子６に突設されたストッパ突起７が係止可能な挿通溝８が形成されるコード可変シリンダ錠を提供することにより達成される。
【００１１】
コード可変シリンダ錠は、シリンダケース１内に回転可能に挿入したプラグ２の終端にジョイント４を連結して形成される。ジョイント４には適宜の作用部３が連結され、通常の運用モード時、すなわち、後述する解錠コード変更モードでない場合には、プラグ２への回転操作はジョイント４に伝達された後、作用部３を介して施錠対象装置への施解錠操作が行われる。プラグ２への回転力をジョイント４に伝達するために、プラグ２とジョイント４とは、双方の回転境界を閉塞する連結子５により回転方向に連結される。
【００１２】
コード可変シリンダ錠における解錠コードの変更は、プラグ２を所定角度位置まで回転させて行われる。当該解錠コード変更モードにおけるプラグ２の回転にジョイント４が追随して回転しないように、解錠コード変更モードの実行に際し、連結解除子６がシリンダケース１外部から操作され、プラグ２とジョイント４との連結状態が解除される。連結解除子６は、シリンダケース１に保持され、運用モードにおいてはプラグ２に外嵌合されるジョイント４より外側に位置してシリンダケース１とジョイント４との回転境界を開放し、解錠コード変更モードにおいてジョイント４を貫通して連結子５をプラグ２内に押し込んでプラグ２とジョイント４との回転境界を開放する。
【００１３】
連結解除子６が連結子５をプラグ２内に押し込んでプラグ２とジョイント４との回転境界を開放する連結子押し込み位置において連結解除子６のストッパ突起７は挿通孔２ａを貫通し、プラグ２の挿通溝８に侵入する。挿通溝８はプラグ２の周方向に延設しており、ストッパ突起７の侵入状態でのプラグ２の回転を許容する。
【００１４】
この状態でジョイント４内に侵入している連結解除子６は、ジョイント４の回転を規制しており、この後、プラグ２が回転すると、ストッパ突起７は挿通溝８の周壁に干渉して連結子押し込み位置からの離脱が規制され、ジョイント４の回転を規制し続ける。
【００１５】
したがってこの発明において、解錠コード変更モード時にプラグ２を回転操作する際に、連結解除子６はジョイント４に対する回転規制位置に拘束されるために、ジョイント４がプラグ２に追随して回転し、作用部３と施錠対象装置の相対位置が変化することがない。この結果、当該現象に起因する作動不良が発生せず、信頼性が向上する。
【発明の効果】
【００１６】
本発明によれば、解錠コード変更操作に伴うジョイントの空転を確実に防止できるので、動作信頼性を向上させることができる。
【発明を実施するための最良の形態】
【００１７】
図１にパチンコ等の遊技機用に構成された本発明の実施の形態を示す。この実施の形態において、コード可変シリンダ錠はシリンダケース１と、シリンダケース１内に挿入されるプラグ２と、プラグ２の後端（以下、本明細書において、解錠キーを挿入する方向（図１（ａ）において左側）を「前方」とする。）に連結されるジョイント４とを有する。このシリンダ錠は、シリンダケース１の後端に形成された取付フランジ１１を取付部１０にねじ止めして施錠対象装置に固定される。
【００１８】
図２に示すように、プラグ２には、複数のタンブラ挿入溝２ｂが形成され、各タンブラ挿入溝２ｂ内には、可変タンブラ１３とロックタンブラ１４とが挿入される。可変タンブラ１３とロックタンブラ１４とは板材を打ち抜いて形成されるディスクタンブラであり、対向位置に形成される噛合凹凸１５を互いに噛合させることにより相対移動不能に連結される。
【００１９】
また、プラグ２にはサイドバー１６とレトラクタ１７とが各々放射線に進退自在に装着される。これらサイドバー１６とレトラクタ１７とは、プラグ２の長手方向ほぼ全長に渡って配置される長尺体であり、一端がシリンダケース１の内周壁に当接し、他端がタンブラ挿入溝２ｂ内に露出した状態でプラグ２の回転中心に対して線対称位置に配置される。
【００２０】
上記ロックタンブラ１４は一側辺がタンブラ挿入溝２ｂのサイドバー１６装着側の側壁に当接させた姿勢で装着され、このタンブラ挿入溝２ｂへの側壁摺接辺に、上記サイドバー１６の一端が嵌合可能なロック解除切欠１４ａが切り欠かれる。これに対し、可変タンブラ１３は、一側辺をタンブラ挿入溝２ｂのレトラクタ１７装着側側壁に摺接させて配置され、当該摺接辺に背向してプラグ２のキー挿入部２ｃ内に突出するコード形成突起１３ａが形成される。
【００２１】
プラグ２が初期回転位置にあるときには、図２（ａ）（ｂ）に示すように、圧縮スプリング１６ａによりプラグ２からの飛び出し方向に付勢されるサイドバー１６はシリンダケース１の内周壁に形成したロック凹溝１ａ内に落ち込んでおり、プラグ２とシリンダケース１の回転境界が閉塞される。この結果、プラグ２に対する回転操作が規制される（施錠状態）。
【００２２】
この状態から解錠キー１８をキー挿入部２ｃに挿入すると、解錠キー１８に形成されたコード形成凹溝１８ａにコード形成突起１３ａが嵌合する。図３（ａ）に示すように、解錠キー１８が真正ならば、可変タンブラ１３に連結されるロックタンブラ１４のロック解除切欠１４ａがサイドバー１６に正対し、この状態でプラグ２に回転操作力を付与すると、サイドバー１６はプラグ２内に退避し、回転境界を開放する（解錠状態）。この時、ロックタンブラ１４はサイドバー１６がロック解除切欠１４ａ内に嵌合した状態、すなわちプラグ２に対して固定された状態で保持されている。
【００２３】
図１に示すように、ジョイント４はシリンダケース１の後端部に回転自在に挿入され、プラグ２の後端に形成されたリング状の挿通溝８に嵌合筒部４ｂを嵌合した状態でプラグ２に連結される。このジョイント４は、取付フランジ１１に固定されるカバー１９に開設されたジョイント挿通孔１９ａを貫通して取付フランジ１１後方に至り、後端部に操作レバー（作用部３）がねじ止めされる。後述するようにジョイント４とプラグ２とは運用モードにおいて回転方向に連結されており、シリンダ錠を施錠対象装置に固定した状態でプラグ２を施解錠回転位置に回転させると操作レバー３が回転し、施錠対象装置の施解錠操作が行われる。
【００２４】
また、ジョイント４には角度規制突部４ｃが突設される。この角度規制突部４ｃは、カバー１９のジョイント挿通孔１９ａに形成される角度規制部１９ｂに干渉してジョイント４、すなわち、該ジョイント４に連結状態のプラグ２の回転操作角度を規制する（図３（ｃ）参照）。
【００２５】
プラグ２の解錠コードの変更は、後述する連結子５によりプラグ２とジョイント４との回転方向の連結を解除させた状態において、上記ジョイント４により規制される運用モード時の回転操作角（この実施の形態においては１３５°）を超えた操作角（中立回転位置から１８０°）までプラグ２を回転させて行われる。
【００２６】
図５（ｃ）に示すように、プラグ２を１８０°回転させると、圧縮スプリング１７ａによりプラグ２からの飛び出し方向に付勢されたレトラクタ１７は、ロック凹溝１ａに落ち込む。レトラクタ１７の径方向への移動により、レトラクタ１７のガイド溝１７ｂに係止突部１３ｂが嵌合した可変タンブラ１３も径方向に移動し、タンブラ挿入溝２ｂに形成されたガイド溝２ｄによりレトラクタ１７側への移動が規制されたロックタンブラ１４と離れ、噛合凹凸１５の噛合が解除される。
【００２７】
この状態で解錠キー１８を抜いて、さらに、新たなコード形成凹溝１８ａを有する解錠キー１８を挿入すると、ロックタンブラ１４はサイドバー１６がロック解除切欠１４ａ内に嵌合した状態を維持した状態で、可変タンブラ１３のみがコード形成凹溝１８ａに追随して移動する。これからプラグ２を初期回転位置に復帰させると、レトラクタ１７がロック凹溝１ａから脱して新たな解錠キー１８を挿入した状態でロックタンブラ１４のロック解除切欠１４ａがサイドバー１６に正対するように２枚のタンブラが噛合し、解錠コード変更操作が完了する。
【００２８】
解錠コード変更モードに対応した回転位置までプラグ２を回転するためには、ジョイント４との連結を解除して操作角規制を解除する必要があり、このために、連結子５、連結解除子６が配置される。連結子５は、図２（ｃ）に示すように、圧縮スプリング２０により飛び出し方向に付勢されてプラグ２内に進退自在に挿入される。この連結子５はプラグ２から飛び出した姿勢でプラグ２後端の挿通溝８に嵌合するジョイント４の嵌合筒部４ｂに形成された切欠状の挿通孔４ａに嵌合し、ジョイント４を回転方向に連結する（図２（ａ）、図３（ｂ）参照）。
【００２９】
図１、４に示すように、連結解除子６は、板材を側面視クランク形状に折り曲げて上端に操作片９を、下端にストッパ突起７を形成してなる。この連結解除子６は、図１に示すように、中間部１２がカバー１９により挟まれて取付フランジ１１の後端面に沿った姿勢で装着され、中間部１２から後方に折り曲げられた操作片９がカバー１９に開設された操作孔１９ｃから外部に露出する。
【００３０】
また、連結解除子６のストッパ突起７は取付フランジ１１の後端面からシリンダケース１内に進入し、連結子５の押圧部としても機能するこの実施の形態において、飛び出し姿勢の連結子５の上端に当接する。また、プラグ２の後端にはこのストッパ突起７の挿通を可能にするための切欠状の挿通孔２ａが形成される。この挿通孔２ａは、挿通溝８の周壁を切除して形成され、挿通溝８に連通する。
【００３１】
したがってこの実施の形態において、連結解除子６を図１において下方に押し込むと、ストッパ突起７はプラグ２の挿通孔２ａおよびこの挿通孔２ａに連通するジョイント４の挿通孔４ａ内に進入する。図５（ａ）に示すように、ストッパ突起７の押し込みにより、連結子５はプラグ２内に退避してジョイント４との回転境界を開放し、以後、プラグ２はジョイント４に対して空転自在となる。
【００３２】
この状態からプラグ２を回転させると、図５（ｂ）に示すように、ストッパ突起７は挿通溝８内に嵌合した状態となり、周壁に干渉して上方への移動が規制される。この結果、解錠コード変更モードに伴ってプラグ２が回転操作されても、連結解除子６はジョイント４の挿通孔４ａ内に留まり、ジョイント４のプラグ２に追随した回転が確実に防止される。
【００３３】
また、この状態で連結解除子６の操作片９は降下位置に停止するために、取付フランジ１１後方から操作片９の位置を確認するだけで、正確にプラグ２の現在のモードを視認することができる。
【図面の簡単な説明】
【００３４】
【図１】本発明を示す図で、（ａ）は断面図、（ｂ）は正面図、（ｃ）は背面図である。
【図２】シリンダ錠の断面図であり、（ａ）は図１（ａ）の２Ａ-２Ａ線断面図、（ｂ）は図１（ａ）の２Ｂ-２Ｂ線断面図、（ｃ）は図１（ａ）の２Ｃ-２Ｃ線断面図である。
【図３】施解錠状態を示す図で、（ａ）は図２（ｂ）に対応する断面図、（ｂ）は図２（ｃ）に対応する断面図、（ｃ）は図１（ｃ）に対応する背面図である。
【図４】連結解除子を示す斜視図で、（ａ）はプラグを後方に引き出した状態を後方から見た分解斜視図、（ｂ）はプラグにジョイントを連結した状態を示す分解斜視図である。
【図５】解錠コード変更状態を示す図で、（ａ）は連結解除子を押し込んだ状態を示す図１の２Ｃ-２Ｃ線断面図、（ｂ）はプラグを回転させた状態を示す断面図、（ｃ）は解錠コード変更角度までプラグを回転させた状態を示す断面図である。
【符号の説明】
【００３５】
１        シリンダケース
２        プラグ
２ａ      挿通孔
３        作用部
４        ジョイント
４ａ      挿通孔
５        連結子
６        連結解除子
７        ストッパ突起
８        挿通溝
９        操作片
１０      取付部
１１      取付フランジ
１２      中間部
【図１】
0004599280.tif 000002
【図２】
0004599280.tif 000003
【図３】
0004599280.tif 000004
【図４】
0004599280.tif 000005
【図５】
0004599280.tif 000006